(57)【特許請求の範囲】
【請求項１】
厚さの異なる少なくとも２種類の光ディスクに記録された情報を再生する光ディスク再生装置において、
上記少なくとも２種類の内のいずれか一方の種類の光ディスク用に設計された光ピックアップと、
上記少なくとも２種類の光ディスクの一方又は他方の種類に応じて上記光ピックアップからのピックアップ信号に異なった波形等化処理を施す情報再生手段とを備え、
上記他方の種類の光ディスクから情報を再生するときには、上記情報再生手段に他方の光ディスク用の情報に対してクラス分類適応処理を用いた推定演算による波形等化処理を行わせることを特徴とする光ディスク再生装置。
【請求項２】
上記クラス分類適応処理は、上記他方の種類の光ディスクからのピックアップ信号を分割し、分割された信号毎に信号のレベルパターンを検出し、この検出されたパターンに基づいてクラスを分類し、クラス毎に予め学習により獲得された予測係数値に基づいて、最適な推定値を算出することを特徴とする請求項１記載の光ディスク再生装置。
【請求項３】
上記クラス分類適応処理は、適応型ダイナミックレンジ符号化によりクラスを分類することを特徴とする請求項２記載の光ディスク再生装置。
【請求項４】
上記一方の種類の光ディスクの基板厚さは、上記他方の種類の光ディスクの基板厚さより小さいことを特徴とする請求項１記載の光ディスク再生装置。
【発明の詳細な説明】
【０００１】
【発明の属する技術分野】
本発明は、基板の厚さが異なる二つの光ディスクを再生する光ディスク再生装置に関する。
【０００２】
【従来の技術】
従来、マルチメディアへの関心が高まるにつれて、光ディスクにも動画など大容量のデータを記録したいという要求が高まっている。その結果、光ディスクは、より大容量化・より高速化の方向へと開発が進められてきた。
【０００３】
しかし、コンパクトディスク（ＣＤ）に代表される様に光ディスクは、ハンドリングの容易さが大切であるので、容量アップのためにディスクの直径を大きくする、すなわち記録部分の面積を広くする対応はあまり歓迎されない状況にある。よって光ディスクの大容量化を実現するには、記録密度を更に高める方向へ関心が向いている。
【０００４】
この様な背景のもと従来のＣＤよりも記録容量を７倍程度に高めたシステムとしてＤＶＤ（Digital Versatile Disc）が実用化された。そのシステムでは、レーザダイオードの発振波長を780nmから650nmへと短くし、開口数ＮＡをＣＤの0.45から0.6に高めることにより記録容量を高めている。ディスク上に集光されるスポットの径は（波長／ＮＡ）に比例するので、これによりスポットをより小さく絞れるようになり記録密度を高めることが実現できた。
【０００５】
ＤＶＤとＣＤは、それぞれ記録密度及び基板厚の異なるフォーマットのシステムであるが、両者を同一の再生装置で再生できるという機能はＤＶＤの市場導入を推進することになる。
【０００６】
しかし、ＤＶＤ用のピックアップはＤＶＤの基板厚さ0.6mmに対して最適に設計されているため、何の対応も行わない場合にはＣＤフォーマットと等しい1.2mmの基板を透過した後のスポットは球面収差と呼ばれる一種の光学的な歪みが加わるため、ディスク上に集光したスポットはその影響によりぼけた状態となる。そのためＤＶＤ用のピックアップでＣＤの良好な信号再生をすることが難しかった。
【０００７】
そこで、例えば対物レンズにホログラム処理を施すことによりＣＤ用とＤＶＤ用の２点に焦点を結ぶことにより、ＤＶＤとＣＤの互換再生を実現したシステムが特開平７−３１１９４５号公報で提案されている。
【０００８】
【発明が解決しようとする課題】
ところで、上記特開平７−３１１９５号公報で提案された方式では、常に二つの焦点を結びながらディスクの信号を再生する構成となっているため、仮にＤＶＤを再生する場合でも不必要なＣＤ用のスポットが作られるし、またＣＤを再生する場合でも不必要なＤＶＤ用のスポットが作られてしまう。そのため良好な信号検出を行えるレベルまで各スポットの光量を得るためにはレーザダイオードの出力を高める必要があり、光の利用効率の悪さから消費電力の面とレーザダイオードの寿命の面で問題があった。
【０００９】
また、ＤＶＤ用とＣＤ用のレンズを同一ピックアップに搭載し、再生されるディスクに合わせてレンズを切り替える方式も考えられるが、対物レンズを二つ用いる必要があることとレンズを切り替える機構が必要であるため、小型化の面とコストの面で問題があった。また、複数のレンズを可動部に搭載する構成となっているので、可動部の重量増加によるサーボによる消費電力が増加するという問題があった。
【００１０】
そこで、本発明は光の利用効率の悪化を防いで低消費電力とレーザの長寿命化をはかり、かつ小型化とコスト削減を実現して、異なる基板厚さの二種類の光ディスクを再生する光ディスク再生装置の提供を目的とする。
【００１１】
【課題を解決するための手段】
ＤＶＤ用ピックアップを用いてＣＤの信号再生を行おうとした場合、対物レンズには各フォーマットで規定された基板厚さを透過した時点、すなわち記録面上で光学収差が小さくなるように設計されているため、ＤＶＤフォーマットとＣＤフォーマットとでは基板厚がそれぞれ0.6mm，1.2mmと異なることから、光学的にはＤＶＤ用ピックアップを用いてＣＤの信号再生を行う場合には、フォーマットで規定された基板厚さの違いによって発生する波面収差（主な成分は球面収差）の影響により、スポットを十分絞り込むことができない。
【００１２】
通常、収差がある場合にはディスク上集光されるスポットはぼけ気味になるので、そのぼけたスポットの一部が前後のピットに到達してしまうことにより符号間干渉を引き起こしたり、隣のトラックまで到達してしまうことによりクロストークを引き起こしたりする。そのため収差の載った光学ピックアップを用いた再生信号は波面収差がないものを用いた場合に比べてノイズが混入した信号となる。
【００１３】
しかしＣＤとＤＶＤとでは記録密度が異なるため、同じ波面収差量であっても記録密度の低いＣＤの場合には、ＤＶＤ用のスポットはもともと小さいためその影響が小さいと考えられる。そこで劣化により歪んだ再生信号をうまく信号処理することにより、ＤＶＤ用のピックアップを用いて、ＣＤの信号を再生することが可能になる。
【００１４】
本発明に係る光ディスク再生装置は、上記課題を解決するために、厚さの異なる少なくとも２種類の光ディスクに記録された情報を再生する光ディスク再生装置において、上記少なくとも２種類の内のいずれか一方の種類の光ディスク用に設計された光ピックアップと、上記少なくとも２種類の光ディスクの一方又は他方の種類に応じて上記光ピックアップからのピックアップ信号に異なった波形等化処理を施す情報再生手段とを備え、上記他方の種類の光ディスクから情報を再生するときには、上記情報再生手段に他方の光ディスク用の情報に対してクラス分類適応処理を用いた推定演算による波形等化処理を行わせる。
【００１６】
上記クラス分類適応処理は、上記他方の種類の光ディスクからのピックアップ信号を分割し、分割された信号毎に信号のレベルパターンを検出し、この検出されたパターンに基づいてクラスを分類し、クラス毎に予め学習により獲得された予測係数値に基づいて、最適な推定値を算出する処理である。
【００１７】
また、上記クラス分類適応処理は、適応型ダイナミックレンジ符号化によりクラスを分類する。
【００１８】
また上記一方の種類の光ディスクの基板厚さは、上記他方の種類の光ディスクの基板厚さより小さい。例えば、基板厚さ0.6mmのＤＶＤと、基板厚さ1.2mmの光ディスクを対象とする。
【００１９】
【発明の実施の形態】
以下、本発明に係る光ディスク再生装置の実施の形態について図面を参照しながら説明する。この実施の形態は、記録密度と基板厚の異なる複数の光ディスクを、一つのピックアップを用いて再生する図１に示す光ディスク再生装置である。この光ディスク再生装置は、高記録密度で基板厚が0.6mmのＤＶＤと、通常記録密度で基板厚が1.2mmのＣＤを再生対象とするが、特にＤＶＤ用に設計されたピックアップを用いてＣＤを信号を再生する。
【００２０】
ＤＶＤ用ピックアップとしては開口数ＮＡが0.6の対物レンズを用いるが、ＣＤ用ピックアップとしては開口数ＮＡが0.45の対物レンズが使われるのが一般的であり、基板厚さの違いからも、光学的条件が異なり、その結果、球面収差が発生してしまう。
【００２１】
しかしＣＤとＤＶＤとでは記録密度が異なるため、同じ波面収差量であっても記録密度の低いＣＤの場合には、ＤＶＤ用のスポットはもともと小さいためその影響が小さいと考えられる。そこで劣化により歪んだ再生信号をうまく信号処理することにより、ＤＶＤ用のピックアップを用いて、ＣＤの信号を再生することが可能になる。
【００２２】
そこで、上記光ディスク再生装置１０は、ＤＶＤ用に設計された光ピックアップ１１と、ＤＶＤ又はＣＤに応じて上記光ピックアップ１１からのピックアップ信号に異なった波形等化処理を施すＲＦアンプ１２とを備え、ＣＤから情報を再生するときには、ＲＦアンプ１２にＣＤ用の情報を推定演算させる波形等化処理を行わせる。
【００２３】
具体的に、図１に示すように光ディスク再生装置１０は、光ディスク（ＤＶＤ又はＣＤ）１に記録された情報を読み出してピックアップ信号を出力する光ピックアップ１１と、この光ピックアップ１１のピックアップ信号からデータ再生信号であるＲＦ信号，フォーカスエラー信号（ＦＥ），トラッキングエラー信号（ＴＥ）を求めるＲＦアンプ１２と、このＲＦアンプ１２からのＲＦ信号に復調、誤り検出／訂正等の処理を施してデータを再生するディジタル信号処理回路１３と、ディジタル信号処理回路１３からのデータをアナログ信号に変換して出力端子１５に供給するＤ／Ａコンバータ１４と、ＲＦアンプ１２からのフォーカスエラー信号，トラッキングエラー信号等を基にピックアップ１１のフォーカスサーボ，トラッキングサーボ及びスライドサーボを行うと共に、光ディスク１の回転を制御するサーボ処理回路１６と、光ディスク１を回転するスピンドルモータ１７と、上記各部を制御すると共に、ＲＦアンプ１２内部の後述する二つの波形等化器へのピックアップ信号の供給を制御するシステムコントローラ１８とを備えて成る。
【００２４】
ＲＦアンプ１２は、ピックアップ１１の例えば４分割光検出器からの４つの検出信号を全て加算し、ＲＦ信号を生成する演算器２０と、演算器２０からのＲＦ信号をシステムコントローラ１８の制御によって切り替えるスイッチ２１と、スイッチ２１の切り替えにより供給されたＤＶＤ用ＲＦ信号の信号波形を修正して波形干渉を少なくするＤＶＤ用波形等化器２２と、スイッチ２１の切り替えにより供給されたＣＤ用ＲＦ信号の信号波形を後述するクラス分類適用処理により推定して算出するＣＤ用波形等化器２３と、ＤＶＤ用波形等化器２２又はＣＤ用波形等化器２３からのＲＦ信号を整形して信号の有無を表すパルス信号に変換する整形器２４と、上記４分割光検出器からの所定の検出信号を用いてフォーカスエラー信号ＦＥを検出するフォーカスエラー検出回路２５と、同様に所定の検出信号を用いてトラッキングエラー信号ＴＥを検出するトラッキングエラー検出回路２６とを備えている。
【００２５】
サーボ処理回路１６は、フォーカス制御回路３０、トラッキング制御回路３１、スライド制御回路３２を有して成り、ＲＦアンプ１２からのフォーカスエラー信号、トラッキングエラー信号等に基づいて、ピックアップ１１のフォーカスサーボ、トラッキングサーボ、スライドサーボを行うためのサーボ信号をフォーカスドライバ３４、トラッキングドライバ３５及びスライドドライバ３６に送る。また、このサーボ処理回路１６は、スピンドル制御回路３３も有し、スピンドルサーボ信号をスピンドルドライバ３７に送る。
【００２６】
フォーカスドライバ３４及びトラッキングドライバ３５は、サーボ処理回路１６からの各サーボ信号に応じてピックアップ１１の対物レンズをフォーカス方向及びトラッキング方向に動かす。また、スライドドライバ３６はスライドサーボ信号に応じスライドモータ３８を介してピックアップ１１をスライドする。また、スピンドルドライバ３７は、スピンドルサーボ信号に応じてスピンドルモータの回転を制御する。
【００２７】
このような構成の光ディスク再生装置１０は、再生モードにされた後、装着された光ディスク１がＤＶＤ又はＣＤであるか否かの判断をシステムコントローラ１８で行うと、スイッチ２１の可動片ｃを被選択端子ａ又はｂのいずれかに接続させ、演算器２０からのＤＶＤ用又はＣＤ用ＲＦ信号をＤＶＤ用波形等化器２２又はＣＤ用波形等化器２３に送る。ここで、システムコントローラ１８は、光ディスク１が装着された時点で、光ディスクの基板厚を測定してＣＤ又はＤＶＤを判断してもよいし、或いは端子１９から入力される何らかの検出信号によりＣＤ又はＤＶＤを判断してもよい。
【００２８】
例えば、光ディスク１がＤＶＤ（以下、断りの無い間、光ディスク１をＤＶＤという）であった場合、システムコントローラ１８はスイッチ２１の可動片ｃを被選択端子ａに接続する。その後、スピンドル制御回路３３、スピンドルドライバ３７及びスピンドルモータ１７によりＤＶＤを回転駆動する。
【００２９】
ピックアップ１１は、図示しない光源から再生用のレーザ光を発生し、対物レンズをはじめとする光学系によりＤＶＤの記録面に集光する。記録面で反射されたレーザ光は対物レンズをはじめとする光学系を介して４分割光検出器に入射する。
【００３０】
ピックアップ１１内部の４分割光検出器は、入射した反射光の強度に応じたピックアップ信号をＲＦアンプ１２内部の演算器２０，フォーカスエラー検出回路２５及びトラッキングエラー検出回路２６に供給する。
【００３１】
演算器２０は、４分割光検出器からの４つの検出信号を全て加算してＲＦ信号を生成し、スイッチ２１に供給する。スイッチ２１は、システムコントローラ１８の制御により、可動片ｃを被選択端子ａに接続しているので、上記ＤＶＤ用のＲＦ信号をＤＶＤ用波形等化器２２に供給する。
【００３２】
ＤＶＤ用波形等化器２２は、上記ＤＶＤ用ＲＦ信号の信号波形を修正して波形干渉を少なくし、整形器２４に供給する。整形器２４は、ＤＶＤ用波形等化器２２からのＤＶＤ用ＲＦ信号を整形してパルス信号に変換し、信号処理回路１３に供給する。
【００３３】
ＲＦアンプ１２からのＲＦ信号は例えばＥＦＭ変調されたままのＥＦＭ信号であるので、信号処理回路１３はこのＥＦＭ信号に対してクロック再生、同期検出、データ復調、誤り検出／誤り訂正等の処理を施してデータを出力する。このデータはＤ／Ａコンバータ１４によりアナログ信号に変換され、出力端子１５を介して出力される。
【００３４】
また、ＲＦアンプ１２のフォーカスエラー検出回路２５は、上記４分割光検出器からの所定の検出信号を用いてフォーカスエラー信号ＦＥを検出する。このフォーカスエラー信号ＦＥは、サーボ処理回路１６に供給される。また、ＲＦアンプ１２のトラッキングエラー検出回路２６は、上記４分割光検出器からの所定の検出信号を用いてトラッキングエラー信号ＴＥを検出する。上記フォーカスエラー信号ＦＥ及びトラッキングエラー信号ＴＥを用いてのサーボ処理回路１６でのサーボ処理については既に説明したのでここでは省略する。
【００３５】
次に、光ディスク１がＣＤ（以下、断りのない間、光ディスク１をＣＤという）であった場合、システムコントローラ１８はスイッチ２１の可動片ｃを被選択端子ｂに接続する。その後、スピンドル制御回路３３、スピンドルドライバ３７及びスピンドルモータ１７によりＣＤを回転駆動する。
【００３６】
ピックアップ１１は、図示しない光源から再生用のレーザ光を発生し、対物レンズをはじめとする光学系によりＣＤの記録面に集光する。記録面で反射されたレーザ光は対物レンズをはじめとする光学系を介して４分割光検出器に入射する。
【００３７】
ピックアップ１１内部の４分割光検出器は、入射した反射光の強度に応じたピックアップ信号をＲＦアンプ１２内部の演算器２０，フォーカスエラー検出回路２５及びトラッキングエラー検出回路２６に供給する。
【００３８】
演算器２０は、４分割光検出器からの４つの検出信号を全て加算してＲＦ信号を生成し、スイッチ２１に供給する。スイッチ２１は、システムコントローラ１８の制御により、可動片ｃを被選択端子ｂに接続しているので、上記ＣＤ用のＲＦ信号をＣＤ用波形等化器２３に供給する。
【００３９】
ピックアップ１１は、ＤＶＤ用に設計されたものであり、光学的には、ＤＶＤ用ピックアップを用いてＣＤの信号再生を行う場合には、フォーマットで規定された基板厚さの違いによって発生する波面収差の影響により、スポットを十分絞り込むことができない。
【００４０】
通常、収差がある場合にはＣＤ上に集光されるスポットはぼけ気味になるので、そのぼけたスポットの一部が前後のピットに到達してしまうことにより符号間干渉を引き起こしたり、隣のトラックまで到達してしまうことによりクロストークを引き起こしたりする。そのため収差の載ったピックアップを用いた再生信号は波面収差がないものを用いた場合に比べてノイズが混入した信号となる。
【００４１】
しかしＣＤとＤＶＤとでは記録密度が異なるため、同じ波面収差量であっても記録密度の低いＣＤの場合には、ＤＶＤ用のスポットはもともと小さいためその影響が小さいと考えられる。そこで劣化により歪んだ再生信号をうまくＣＤ用波形等化器２３により波形等化処理することにより、ＤＶＤ用のピックアップを用いて、ＣＤの信号を再生することが可能になる。このため、ＣＤ用波形等化器２３は、ＣＤ用ＲＦ信号をクラス分類適用処理により推定して算出する。
【００４２】
ＣＤ用波形等化器２３は、図２に示すように、ブロック化回路４０と、適応ダイナミックレンジ符号化（Adaptive Dynamic Range Coding、以下ＡＤＲＣという）回路４１と、クラスコード発生回路４２と、予測係数メモリ４３と、予測演算回路４４とを備えて成る。
【００４３】
スイッチ２１の被選択端子ｂを介して供給されたＣＤ用ＲＦ信号をブロック化回路４０で一定サンプル数毎に分割し、このブロック化回路４０からのブロック単位のデータにＡＤＲＣ回路４１でＡＤＲＣを施してクラスを決定し、このＡＤＲＣ回路４１で決定されたクラスに対応するクラスコードをクラスコード発生回路４２で発生する。予測係数メモリ４３は、クラスコード発生回路４２からのクラスコードをアドレスとし、このクラスコードに応じたクラスの予測係数を記憶している。そして、予測演算回路４４は、ブロック化回路４０から供給されたブロック単位のデータと予測係数メモリ４４からの予測係数とを用いて予測式に基づいた演算を行い、劣化したＲＦ信号を劣化を取り除いたＲＦ信号に置き換えて出力端子４５に供給する。
【００４４】
予測係数メモリ４３には、正しい再生信号を正確に予測する予測係数が予め算出されて記憶されている。そこでは、ＤＶＤ用光学ピックアップを用いてＣＤの信号再生を行ったときの再生信号及び本来の値であるＣＤ用のピックアップを用いてＣＤの信号再生を行ったときの再生信号を一組の学習データとしている。
【００４５】
なお、このような学習データを形成する際に一つのデータのみを用いるではなく、複数のディスクを用いることにより、非常に多数の学習データを形成できることができ、より正確な予測係数を得るための学習データを得ることができる。
【００４６】
そして、予測演算回路４４では、ブロック化回路４０から供給されたブロック単位のデータと予測係数メモリ４４からの予測係数とを用いた線形一次結合式による演算により、劣化を取り除いたＣＤ用のＲＦ信号を予測して、出力端子４５から整形器２４に供給する。
【００４７】
ここで、クラスを決定するために、ＡＤＲＣを用いた理由について説明する。クラス分類の最も簡単な方法は、分割されたブロック内の学習データのビット系列をそのままクラス番号とする方法である。しかし、この方法では膨大な容量のメモリが必要となる。このため、入力信号をＡＤＲＣを用いて圧縮し、この圧縮したデータのパターンにより信号パターンの性質を保存した効果的なクラス分割を行うようにした。この方法によりダイナミックレンジ方向の冗長度を適応的に除去しながら、クラス分類が可能となった。
【００４８】
図３には、１ビットＡＤＲＣを行うＡＤＲＣ回路４１の詳細な構成を示す。図３において、入力端子５１からのブロックの順序に変換されたデータに関して、検出器５２がブロック毎に最大値ＭＡＸ、最小値ＭＩＮを検出する。減算器５３に対してＭＡＸ及びＭＩＮが供給され、その出力にダイナミックレンジＤＲが発生する。入力データ及びＭＩＮが減算器５４に供給され、減算器５４から最小値ＭＩＮが除去されることで、正規化された画素データが発生する。
【００４９】
ダイナミックレンジＤＲが割算器５５に供給され、正規化されたデータがダイナミックレンジＤＲで割り算され、割算器５５の出力データが比較器５６に供給される。比較器５６では所定のしきい値を基準として、より大きいか、より小さいかが判断される。この結果に応じて、“０”又は“１”のデータＤＴが発生する。この比較出力ＤＴが出力端子５７に取り出される。この１ビットＡＤＲＣを用いてクラス分割を行えばよい。
【００５０】
なお、図２の予測演算回路４４では、線形一次結合式に基づいた演算により、正しいＲＦの値を求めているが、非線形結合式に基づいた演算により正しいＲＦの値を求めてもよい。
【００５１】
図１に戻り、整形器２４は、ＣＤ用波形等化器２３で推定されたＣＤ用ＲＦ信号を整形してパルス信号に変換し、信号処理回路１３に供給する。信号処理回路１３は、ＣＤ用のＲＦ信号（ＥＦＭ信号）に対してクロック再生、同期検出、データ復調、誤り検出／誤り訂正等の処理を施してデータを出力する。このデータはＤ／Ａコンバータ１４によりアナログ信号に変換され、出力端子１５を介して出力される。
【００５２】
このように光ディスク再生装置１０は、ＤＶＤ用に設計されたピックアップを用いて、ＣＤの信号再生を可能とできることから、光学ピックアップの簡素化、小型化、低コスト化が可能となる。
【００５３】
また、ＤＶＤ用ピックアップを用いて、フォーマット的にマージンの大きいＣＤの信号再生時にＣＤ用の波形等化処理を施す構成をとることにより、ＣＤとＤＶＤの互換再生機能を付加してもフォーマット的に厳しいＤＶＤへの悪影響がない。
【００５４】
また、本実施の形態によれば、ディスク再生時にビームの焦点を一つしか結ばないので光の利用効率を高めることができ、低消費電力化を可能にするとともに、光源となる例えばレーザダイオードへの負荷も低減できるのでレーザダイオードの寿命を長くすることができる。
【００５５】
また、複数のフォーマットの光ディスクを互換再生するために必要な対物レンズの数を減らせ、レンズ切り替えのための機構も必要がないため、可動部の重量増加の問題を解決し無駄な消費電力を抑制でき、またピックアップの部品点数も少なくできるのでコスト面でも有利にできる。
【００５６】
また、ＣＤ用波形等化器２３の予測演算回路４４では、一定時間毎の信号の性質に合わせて予測式を切り替えることにより、従来の一つの波形等化器による信号処理に比べて良好な処理波形を得ることができる。
【００５７】
なお、本発明は、ＤＶＤとＣＤの互換再生のみに限定されるものではないことはいうまでもない。
【００５８】
【発明の効果】
本発明に係る光ディスク再生装置は、他方の種類の光ディスクから情報を再生するときには、情報再生手段に他方の光ディスク用の情報に対してクラス分類適応処理を用いた推定演算による波形等化処理を行わせるので、異なる基板厚さの少なくとも二種類の光ディスクを再生する際に、光の利用効率の悪化を防いで低消費電力とレーザの長寿命化をはかり、かつ小型化とコスト削減を実現できる。
【図面の簡単な説明】
【図１】本発明の実施の形態となる光ディスク再生装置の構成を示すブロック図である。
【図２】上記光ディスク再生装置の要部の詳細な構成を示すブロック図である。
【図３】ＡＤＲＣ回路の説明に用いるブロック図である。
【符号の説明】
１  光ディスク（ＤＶＤ又はＣＤ）、１０  光ディスク再生装置、１１  ピックアップ、１２  ＲＦアンプ、１８  システムコントローラ、２２  ＤＶＤ用波形等化器、２３  ＣＤ用波形等化器
【図１】
0003941220.tif 000002
【図２】
0003941220.tif 000003
【図３】
0003941220.tif 000004